(57)【要約】【課題】 揺動選別板型籾摺選別機において、揺動選別板で選別した玄米を適正なタイミングで機外に取り出す。【解決手段】籾摺部（１）、摺落米風選部（２）、揺動選別板型の混合米選別部（３）を備えた籾摺選別機において、混合米タンク（２４）を吊り下げ支持して所定量以上の穀粒が溜まると下方へ移動し、穀粒が所定量より少なくなると、上方へ移動するように構成し、混合米を混合米タンク（２４）に一時貯溜して混合米選別部（３）の揺動選別板（１５）に供給するように構成する。混合米タンク（２４）と循環／排出切換弁（３６）とをメカ的なリンケージで連結する切換手段（３７）により連動連結し、混合米タンク（２４）が下方へ移動すると、循環／排出切換弁（３６）を循環側から排出側へ切り換え、また、混合米タンク（２４）が上方へ移動すると、循環／排出切換弁（３６）を排出側から循環側へ切り換える。【選択図】図２
2010253351.tif 000002
【特許請求の範囲】
【請求項１】
籾摺部（１）、摺落米風選部（２）、揺動選別板型の混合米選別部（３）を備え、前記摺落米風選部（２）からの混合米を混合米タンク（２４）に一時貯溜して混合米選別部（３）の揺動選別板（１５）に供給するように構成し、前記混合米選別部（３）には選別玄米を機内循環側あるいは機外排出側に切り換える循環／排出切換弁（３６）を設け、前記混合米タンク（２４）に所定量以上の穀粒が貯溜されると、前記循環／排出切換弁（３６）を循環側から排出側へ切り換える切換手段（３７）を設けたことを特徴とする籾摺選別機。
【請求項２】
請求項１記載の発明において、前記混合米タンク（２４）を吊り下げ支持して所定量以上の穀粒が溜まると下方へ移動し、穀粒が所定量より少なくなると、上方へ移動するように構成し、前記混合米タンク（２４）と前記循環／排出切換弁（３６）とをメカ的なリンケージで連結する切換手段（３７）により連動連結し、混合米タンク（２４）が下方へ移動すると、循環／排出切換弁（３６）を循環側から排出側へ切り換え、また、混合米タンク（２４）が上方へ移動すると、循環／排出切換弁（３６）を排出側から循環側へ切り換えることを特徴とする籾摺選別機。
【請求項３】
請求項２記載の発明において、前記混合米タンク（２４）と前記籾摺部（１）の籾供給調節弁（３１）とをメカ的なリンケージで連結する切換手段（３７）を介して連動連結し、前記循環／排出切換弁（３６）の切換手段（３７）と籾供給調節弁（３１）側の切換手段（３７）とを一部共用化し、混合米タンク（２４）が下方へ移動すると、籾供給調節弁（３１）を閉調節から開調節へ切り換え、混合米タンク（２４）が上方へ移動すると、籾供給調節弁（３１）を開調節から閉調節へ切り換えることを特徴とする籾摺選別機。
【発明の詳細な説明】
【技術分野】
【０００１】
この発明は、籾摺選別機の仕上米排出装置に関するものである。
【背景技術】
【０００２】
揺動選別板型籾摺選別機において、揺動選別板を駆動する駆動源と揺動選別板の接続／非接続を切り換える切換手段と、揺動選別板の排出口に近接して設けた排出樋内に、仕上玄米を機内循環又は機外排出に切り換える切換バルブとを設け、一端を手動操作レバーとしたレバー軸と、このレバー軸と前記切換手段及び切換バルブとをそれぞれ機械的なリンケージで連結し、揺動選別板の駆動源を接続／非接続、切換バルブを機内循環又は機外排出に関連的に切り換えるものは、公知である（特許文献１）。
【０００３】
揺動選別板型籾摺選別機において、混合米選別部への穀粒供給部に供給量の減少を検出するセンサを設け、このセンサによる供給量減少の検出により、混合米選別部の運転を一時停止するように構成したものは、公知である（特許文献２）。
【先行技術文献】
【特許文献】
【０００４】
【特許文献１】特開平９−１０８０号公報
【特許文献２】実開昭６２−２０６８３号公報
【発明の開示】
【発明が解決しようとする課題】
【０００５】
本発明は、籾摺部、摺落米風選部、揺動選別板型の混合米選別部を備えた籾摺選別機において、摺落米風選部からの混合米を混合米タンクに一時貯溜して揺動選別板に供給するように構成し、混合米タンクに所定量の混合米が貯溜され揺動選別板上の選別状態が安定した適正なタイミングで選別玄米を機外に取り出そうとするものである。
【課題を解決するための手段】
【０００６】
前記問題点を解決するために、この発明は次のような技術的手段を講じた。
請求項１の発明は、籾摺部（１）、摺落米風選部（２）、揺動選別板型の混合米選別部（３）を備え、前記摺落米風選部（２）からの混合米を混合米タンク（２４）に一時貯溜して混合米選別部（３）の揺動選別板（１５）に供給するように構成し、前記混合米選別部（３）には選別玄米を機内循環側あるいは機外排出側に切り換える循環／排出切換弁（３６）を設け、前記混合米タンク（２４）に所定量以上の穀粒が貯溜されると、前記循環／排出切換弁（３６）を循環側から排出側へ切り換える切換手段（３７）を設けたことを特徴とする籾摺選別機。
【０００７】
請求項２の発明は、請求項１の発明において、前記混合米タンク（２４）を吊り下げ支持して所定量以上の穀粒が溜まると下方へ移動し、穀粒が所定量より少なくなると、上方へ移動するように構成し、前記混合米タンク（２４）と前記循環／排出切換弁（３６）とをメカ的なリンケージで連結する切換手段（３７）により連動連結し、混合米タンク（２４）が下方へ移動すると、循環／排出切換弁（３６）を循環側から排出側へ切り換え、また、混合米タンク（２４）が上方へ移動すると、循環／排出切換弁（３６）を排出側から循環側へ切り換えることを特徴とする籾摺選別機。
【０００８】
請求項３の発明は、請求項２の発明において、前記混合米タンク（２４）と前記籾摺部（１）の籾供給調節弁（３１）とをメカ的なリンケージで連結する切換手段（３７）を介して連動連結し、前記循環／排出切換弁（３６）の切換手段（３７）と籾供給調節弁（３１）側の切換手段（３７）とを一部共用化し、混合米タンク（２４）が下方へ移動すると、籾供給調節弁（３１）を閉調節から開調節へ切り換え、混合米タンク（２４）が上方へ移動すると、籾供給調節弁（３１）を開調節から閉調節へ切り換えることを特徴とする籾摺選別機とする。
【発明の効果】
【０００９】
請求項１の発明は、混合米タンク（２４）に所定量以上の穀粒が貯溜されて、混合米選別部（３）の揺動選別板（１５）の選別が安定する適正なタイミングで、循環／排出切換弁（３６）を排出側に切り換えて選別玄米を取り出し、オペレータの操作を簡単化することができる。
【００１０】
請求項２の発明は、請求項１の発明の前記効果に加えて、混合米タンク（２４）の穀粒が所定量以下に減少し上方へ移動し、揺動選別板（１５）の選別が不安定になる可能性が発生すると、循環／排出切換弁（３６）を排出側から循環側に切り換え、選別玄米の機外取り出しを停止し、選別玄米への籾粒の混じりを防止することができる。
【００１１】
請求項３の発明は、請求項２の発明の前記効果に加えて、循環／排出切換弁（３６）側の切換手段（３７ｆ）に籾供給調節弁（３１）側への切換手段（３７ａ〜３７ｄ）を追加することにより、籾供給調節弁（３１）側の切換手段を構成することができ、部品の共用を図りながら簡単に構成しながら、混合米タンク（２４）への混合米の過剰供給を防止し、穀粒の循環を円滑にすることができる。
【図面の簡単な説明】
【００１２】
【図１】籾摺選別機の全体の切断側面図。
【図２】混合米タンク、籾供給調節弁、循環／排出切換弁の斜視図。
【図３】混合米タンク、循環／排出切換弁の斜視図。
【図４】混合米タンク、コントローラ部分のブロック図。
【図５】籾揚穀機の側面図。
【図６】籾揚穀機の背面図。
【図７】籾揚穀機の切断背面図。
【図８】混合米タンク、分配供給樋の側面図。
【発明を実施するための最良の形態】
【００１３】
以下、図面に示すこの発明の実施例について説明する。
まず、図１に基づきこの発明を具備する籾摺選別機の全体構成について説明する。
籾摺選別機は、機体の前側上部に配置した籾摺部１と、籾摺部１の後側に配置した摺落米風選部２と、摺落米風選部２の後側に配置した揺動選別板型の混合米選別部３と、混合米選別部３の選別摺落米を揚穀する混合米揚穀機４と、混合米選別部３の選別玄米を機外に取り出す玄米揚穀機５と、混合米選別部３の選別籾を籾摺部１に揚穀還元する籾揚穀機２７とにより構成されている。
【００１４】
籾摺部１は籾摺ロール型に構成されていて、籾ホッパ６と、一対の籾摺ロール７，７と、籾摺ロール７，７の下方に設けられている振動型の摺落米移送棚８等により構成されている。籾ホッパ６の籾は籾摺ロール７，７で籾摺されて摺落米移送棚８に落下供給され、振動している摺落米移送棚８により後側に移送され、摺落米風選部２の下部に供給される。
【００１５】
摺落米風選部２は、摺落米風選箱体９と、摺落米風選箱体９内に上下方向に沿うように構成されている摺落米選別風路１０と、摺落米選別風路１０の中途部下方に設けられている粃受樋１１と、摺落米選別風路１０の始端部である下側部に設けられている摺落米受樋１２と、摺落米選別風路１０の終端部である上側部に配設されている吸引ファン１３と、排塵筒１４とにより構成されている。
【００１６】
次に、揺動選別型の混合米選別部３について説明する。
多段の揺動選別板１５には、板面に選別用の凹凸が形成されていて、縦方向の一側を高い供給側、他側を低い排出側とし、縦方向に直交する横方向の一方側を高い揺上側、反対側を低い揺下側として、揺動選別板１５の縦横２方向ともに傾斜した構成とし、揺動選別板１５を前後揺動アーム（図示省略）、揺動装置（図示省略）により横方向斜め上下に往復揺動される構成である。
【００１７】
揺動選別板１５の上方には混合米タンク２４が配設されていて、摺落米受樋１２に風選された混合米が混合米揚穀機４により揚穀されて混合米タンク２４に供給され、次いで、分配供給樋１６、分配ケース１７を経由して揺動選別板１５に供給される構成である。
【００１８】
揺動選別板１５の揺下側の側壁の排出側部分には、籾排出口を切り欠き構成して選別籾を揺下側に取り出され、籾還元流路３１を経て籾揚穀機２７に供給される構成である。
揺動選別板１５に供給された混合米は、粒形の大小，比重の大小，摩擦係数の大小等の関係で、比重の重い小形の玄米は揺上側に偏流分布し、玄米に比較して大形で比重の軽い籾は、揺下側に偏流分布し、その中間部には分離されない籾・玄米の混合米が分布されながら選別される。そして、これらの選別穀粒は、揺動選別板１５の排出側に設けられている玄米仕切板１８及び籾仕切板１９で仕切られて取り出される構成である。
【００１９】
取り出された選別玄米は、玄米取出樋２０，玄米流路２１，玄米揚穀機５を経て機外に取り出される。また、取り出された選別混合米は混合米取出樋２２，混合米流路２３，摺落米受樋１２，混合米揚穀機４，混合米タンク２４，分配供給樋１６，分配ケース１７を経て、揺動選別板１５に再度供給されて再選別される。
【００２０】
また、揺動選別板１５の揺下側に偏流分離された選別籾のうち揺下側の側壁に沿って流下したものは、籾排出口から籾還元流路３１に取り出され、また、揺下側の側壁よりも揺上側を流下したものは揺動選別板１５の排出側端部から籾仕切板１８により仕切られて、籾取出樋２５に取り出される。このようにして取り出された選別籾は、籾流路２６，籾揚穀機２７を経て籾摺部１に揚穀還元され、再度の籾摺がなされる。なお、摺落米風選部２で粃受樋１１に選別された粃は、籾揚穀機２７に送られ、混合米選別部３の選別籾と共に籾摺部１に揚穀還元される。
【００２１】
次に、図２に基づき籾供給調節弁３１及び循環／排出切換弁３６における混合米タンク２４の穀粒溜まり具合に基づく切換作動構成について説明する。
籾ホッパ６の下部には籾供給調節弁３１を開閉調節自在に設け、籾供給調節レバー３２を開閉操作すると、ジョイントレバー３３を介して籾供給調節弁３１を開閉可能に構成している。混合米揚穀機４上部の穀粒揚穀取出部４ａには、混合米タンク２４を上下動自在に吊り下げ支持し、混合米タンク２４に所定量以上の穀粒が溜まると、混合米タンク２４が下方へ移動し、穀粒が所定量より少なくなると、バネ３４により上方へ移動するように構成している。
【００２２】
また、混合米選別部３の選別穀粒取出部には、図１に示すように、循環／排出切換弁３６を設け、レバー３６ａの操作により、揺動選別板１５の選別玄米を機内循環側に切り換えたり、機外取出側に切り換えるように構成している。
【００２３】
そして、混合米タンク２４と籾供給調節弁３１とをメカ的なリンケージで連結する切換手段３７を介して連動連結している。この切換手段３７は、例えば、混合米タンク２４に一端が連結されている誘導ロッド３７ａ、誘導ロッド３７ａの他端にピン連結されている第１支点アーム３７ｂ、第１支点アーム３７ｂの他端にピン連結している連動ロッド３７ｃ、連動ロッド３７ｃの他端にピン連結している回動アーム３７ｄにより構成し、回動アーム３７ｄの他端に籾供給調節弁軸３１ａを軸支している。
【００２４】
また、混合米タンク２４と循環／排出切換弁３６とを連動連結するにあたり、例えば、誘導ロッド３７ａを共用にし、誘導ロッド３７ａの下端部に延長ロッド３７ｆを下方へ向けて延出し、延長ロッド３７ｆの下端に切替アーム３７ｇを取り付け、循環／排出切換弁３６の切換軸３６ａに連繋している。
【００２５】
しかして、混合米タンク２４に所定量の穀粒が溜り下方へ移動すると、誘導ロッド３７ａ、第１支点アーム３７ｂ、連動ロッド３７ｃ及び回動アーム３７ｄを介して籾供給調節弁３１が閉調節され、また、誘導ロッド３７ａ、延長ロッド３７ｆ及び切替アーム３７ｇを介して循環／排出切換弁３６が排出側に切り換えられる。
【００２６】
また、混合米タンク２４の穀粒が所定量より減少して上方へ移動し、揺動選別板１５の穀粒分布が揺上側に移動し選別玄米の分布が不安定になるきざしが見えると、籾供給調節弁３１を開調節すると共に、循環／排出切換弁３６を循環側に切り換える。従って、混合米タンク２４の混合米の過不足を防止しながら、籾粒の混じった玄米の取り出しを防止することができる。
【００２７】
なお、籾供給調節レバー３２とジョイントレバー３３とは、ジョイントレバー３３側の長孔と籾供給調節レバー３２側のピンを介して融通自在に連繋しているので、籾供給調節レバー３２を開調節位置に保持したままで、籾供給調節弁３１を閉調節することができる。
【００２８】
また、混合米タンク２４と遊動循環／排出切換弁３６とを連動連結するにあたり、図３に示すように、延長ロッド３７ｆを切替アーム３７ｇの長孔３７ｈを介在させて連繋すると、切換作動のハンチングを防止しながら、切替レバー３６ｂを排出側に切り替えたままで、循環／排出切換弁３６を排出側に切り替えることができる。
【００２９】
前記構成によると、混合米タンク２４に所定量以上の穀粒が貯溜されて、揺動選別板１５の選別状態が安定すると、循環／排出切換弁３６を排出側に切り換えて選別玄米を取り出し、また、混合米タンク２４の穀粒が所定量以下に減少し、揺動選別板１５の選別状態が不安定になるきざしが見えると、循環／排出切換弁３６を循環側に切り換え選別玄米を籾摺部１に戻すことができ、オペレータの操作を簡単化しながら選別玄米を適正なタイミングで排出側あるいは循環側に切り換えることができる。
【００３０】
また、混合米タンク２４と籾供給調節弁３１及び循環／排出切換弁３６とをメカ的なリンケージで連結する切換手段３７を介して連動連結するにあたり、籾供給調節弁３１側への切換手段３７ａ〜３７ｄに循環／排出切換弁３６側の切換手段３７ｆを追加することにより、循環／排出切換弁３６の切換手段を構成することができ、部品の共用を図りながら簡単にしながら、混合米タンク２４の混合米の過不足を防止することができる。
【００３１】
次に、図４に示す実施例について説明する。
この実施例は、籾摺作業の開始時にのみ混合米タンク２４が所定量以上に下がったことを検出すると、表示灯４４（あるいはブザー等）で報知し、揺動選別板１５の選別玄米の排出時期を表示しようとするものである。
【００３２】
混合米揚穀機４上部の穀粒揚穀取出部４ａには、混合米タンク２４を上下動自在に吊り下げ支持し、混合米タンク２４に所定量の穀粒が溜まると下方へ移動し、また、穀粒が所定量より少なくなると、バネにより上方へ移動するように構成している。そして、混合米タンク２４の側方には高さ検出センサ４１を設け、混合米タンク２４に所定量の穀粒が溜まり下方へ移動すると、混合米タンク２４側の検出アーム４２が高さ検出センサ４１の検出部４１ａに当接してＯＮし、コントローラ４３に検出情報を入力する。
【００３３】
コントローラ４３において、例えば、籾摺選別機駆動用の主モータ（図示省略）がＯＮした後の籾摺作業開始後の最初の検出入力であると判定すると、コントローラ４３から表示指令を出力し、表示灯４４を点灯し、選別玄米の排出時期を報知するようにしている。
【００３４】
前記構成によると、揺動選別板型籾摺選別機を使い慣れていないオペレータでも、選別玄米の排出時期を知ることができ、循環／排出切換弁３６を的確に排出操作することができる。
【００３５】
また、図示はしないが、循環／排出切換弁３６をモータで切り換え動作する構成とし、混合米タンク２４側の検出アーム４２が高さ検出センサ４１の検出部４１ａに当接してＯＮし、コントローラ４３に検出情報を入力すると仕上排出側に切り換わる構成としても良い。
【００３６】
次に、図５乃至図７に基づきスローワ型の籾揚穀機２７の他の実施例について説明する。
スローワ型の籾揚穀機２７をスローワ羽根２７ａの内装されているスローワ室２７ｂと、その先端に接続されている揚穀筒体２７ｃとで構成している。スローワ室２７ｂにスローワ羽根２７ａを軸架するにあたり、図７に示すように、左右一側に偏位させて軸架し、スローワ室２７ｂの左右他側に空間部２７ｄを構成し、揚穀筒体２７ｃの上部をスローワ羽根２７ａの偏位している側に向けて屈曲させながら、籾ホッパ６に連通している。
【００３７】
前記構成によると、籾揚穀機２７を停止した祭に、揚穀できないで穀粒が揚穀筒体２７ｃを落下してスローワ室２７ｂの空間部２７ｄに滞留し、次いで、スローワ羽根２７ａに供給され、スローワ室２７ｂでの穀粒の詰まりを防止し、円滑に揚穀することができる。
【００３８】
また、図５及び図６に示すように、揚穀筒体２７ｃの下部に還元筒体４６を接続し、揚穀できない穀粒を摺落米風選部２に落下還元するようにし、籾揚穀機２７のスローワ室２７ｂでの穀粒の詰まりを防止するようにしてもよい。
【００３９】
次に、図８に基づき混合米タンク２４から分配供給樋１６への穀粒の供給構成について説明する。
混合米タンク２４の穀粒流下口２４ａには供給筒体４８を上下摺動自在に支持し、スプリング４９により下方に押圧付勢している。しかして、混合米タンク２４の穀粒は穀粒流下口２４ａ及び供給筒体４８を経て分配供給樋１６に供給される構成である。
【００４０】
そして分配供給樋１６の上側部には、穀粒の移送方向に対して左右方向の多数の所定間隔の棒状体からなる異物除去装置５０を設け、揺動選別板１５の揺動に伴って分配供給樋１６が揺動するに際し、分配供給樋１６が上側に揺動すると、異物除去装置５０が供給筒体４８の下端部に接近し、また、分配供給樋１６が下側に揺動すると、異物除去装置５０が供給筒体４８の下端部から離れるように構成している。しかして、混合米に混じっている異物や藁屑類を異物除去装置５０により分離排出し、これらの揺動選別板１５への供給を防止する。
【００４１】
前記構成によると、供給筒体４８の下方に異物や藁屑類が詰まった場合には、供給筒体４８はスプリング４９に抗して上方へ退避し、供給筒体４８と異物除去装置５０との間隔を広げ、所定量の穀粒を供給し、揺動選別板１５に定量の穀粒を供給することができる。
【符号の説明】
【００４２】
１    籾摺部
２    摺落米風選部
３    混合米選別部
４    混合米揚穀機
５    玄米揚穀機
６    籾ホッパ
７    籾摺ロール
１５    揺動選別板
２４    混合米タンク
３１    籾供給調節弁
３６    循環／排出切換弁
３７    切換手段
【図１】
2010253351.tif 000003
【図２】
2010253351.tif 000004
【図３】
2010253351.tif 000005
【図４】
2010253351.tif 000006
【図５】
2010253351.tif 000007
【図６】
2010253351.tif 000008
【図７】
2010253351.tif 000009
【図８】
2010253351.tif 000010